(57)【要約】【課題】撮影室に登録用のタグリーダやクレードル等を設けなくても、ＦＰＤカセッテが複数の撮影室のうちの何れの撮影室に存在するかを的確に認識して制御することが可能な放射線画像撮影システムを提供する。【解決手段】放射線画像撮影システム５０は、ＦＰＤカセッテ１を装填可能なブッキー装置５１と、ＦＰＤカセッテ１に放射線を照射する放射線源５２とを備える複数の撮影室Ｒａと、撮影室Ｒａ内に持ち込み可能で通信手段４１を備えたＦＰＤカセッテ１と、ＦＰＤカセッテ１を制御可能なコンソール５８とを備え、ＦＰＤカセッテ１やブッキー装置５１は、ＦＰＤカセッテ１がブッキー装置５１に装填される際にＦＰＤカセッテ１の識別情報をコンソール５８に通知し、コンソール５８は、当該識別情報を取得すると当該ＦＰＤカセッテ１が当該ブッキー装置５８を備える撮影室Ｒａ内に存在することを認識して、当該ＦＰＤカセッテ１を制御対象とする。【選択図】図１
2012105895.tif 000002
【特許請求の範囲】
【請求項１】
ＦＰＤカセッテを装填可能なブッキー装置と、
被写体を介して前記ＦＰＤカセッテに放射線を照射する放射線発生装置の放射線源と、
を備える複数の撮影室と、
前記撮影室内に持ち込み可能で、前記放射線源から被写体を介して照射された放射線に担持されている情報を画像データとして読み出す、通信手段を備えた前記ＦＰＤカセッテと、
前記ＦＰＤカセッテと通信可能であり、かつ、前記ＦＰＤカセッテを制御可能なコンソールと、
を備え、
前記ＦＰＤカセッテは、前記ブッキー装置に装填される際に自己の識別情報を前記コンソールに通知し、または、前記ブッキー装置は、前記ＦＰＤカセッテが装填される際に当該ＦＰＤカセッテの識別情報を読み出して前記コンソールに通知し、
前記コンソールは、前記ブッキー装置に装填された前記ＦＰＤカセッテ、または前記ＦＰＤカセッテが装填された前記ブッキー装置から当該ＦＰＤカセッテの識別情報を取得すると、当該ＦＰＤカセッテが当該ブッキー装置を備える前記撮影室内に存在することを認識して、当該ＦＰＤカセッテを制御対象とすることを特徴とする放射線画像撮影システム。
【請求項２】
前記ＦＰＤカセッテまたは前記ブッキー装置は、当該ブッキー装置に対応して設けられたケーブルに取り付けられたコネクタに、前記ＦＰＤカセッテの前記通信手段であるコネクタが接続されると、当該ＦＰＤカセッテの識別情報を前記コンソールに通知することを特徴とする請求項１に記載の放射線画像撮影システム。
【請求項３】
前記ブッキー装置には、前記ＦＰＤカセッテが装填されると自動的に当該ＦＰＤカセッテのコネクタと接続されるコネクタが設けられており、
前記ＦＰＤカセッテまたは前記ブッキー装置は、当該ＦＰＤカセッテのコネクタと当該ブッキー装置のコネクタとが接続されると、当該ＦＰＤカセッテの識別情報を前記コンソールに通知することを特徴とする請求項１に記載の放射線画像撮影システム。
【請求項４】
前記コンソールは複数設けられており、
一の前記コンソールが前記ＦＰＤカセッテの識別情報を取得すると、当該ＦＰＤカセッテを自己の管理下におくとともに、当該ＦＰＤカセッテがすでに他の前記コンソールの管理下にある場合には、当該一のコンソールは、当該他のコンソールに対して当該ＦＰＤカセッテに対する管理を解除するように通知することを特徴とする請求項１から請求項３のいずれか一項に記載の放射線画像撮影システム。
【請求項５】
前記コンソールは、前記ＦＰＤカセッテの識別情報を取得すると、前記放射線発生装置に対して、前記ブッキー装置に装填された前記ＦＰＤカセッテに対して放射線を照射できるように前記放射線源を起動させるように指示することを特徴とする請求項１から請求項４のいずれか一項に記載の放射線画像撮影システム。
【発明の詳細な説明】
【技術分野】
【０００１】
本発明は、放射線画像撮影システムに関する。
【背景技術】
【０００２】
病気診断等を目的として、Ｘ線画像に代表される放射線を用いて撮影された放射線画像が広く用いられている。こうした医療用の放射線画像は、従来からスクリーンフィルムを用いて撮影されていたが、放射線画像のデジタル化を図るために輝尽性蛍光体シートを用いたＣＲ（Computed Radiography）カセッテが開発され、最近では、照射された放射線を、２次元状に配置された放射線検出素子で検出して、デジタル画像データとして取得する放射線画像撮影装置が開発されている。
【０００３】
このタイプの放射線画像撮影装置はＦＰＤ（Flat Panel Detector）として知られており、従来は支持台と一体的に形成された、いわゆる専用機型の放射線画像撮影装置として形成されていた（例えば特許文献１参照）。しかし、近年、放射線検出素子等をハウジングに収納して可搬とされた可搬型放射線画像撮影装置が開発され、実用化されている（例えば特許文献２、３参照）。
【０００４】
また、このような可搬型放射線画像撮影装置では、バッテリを内蔵し、アンテナ等を備えた通信手段を介した電波のやりとりで信号やデータ等の送受信を行う放射線画像撮影装置が開発されている（例えば特許文献４等参照）。なお、以下、可搬型放射線画像撮影装置を、ＦＰＤカセッテという。
【０００５】
また、ＦＰＤカセッテとしては、照射されたＸ線等の放射線の線量に応じて検出素子で電荷を発生させて電気信号に変換するいわゆる直接型のＦＰＤカセッテや、照射された放射線をシンチレータ等で可視光等の他の波長の電磁波に変換した後、変換され照射された電磁波のエネルギに応じてフォトダイオード等の光電変換素子で電荷を発生させて電気信号に変換するいわゆる間接型のＦＰＤカセッテが種々開発されている。
【０００６】
なお、本発明では、直接型のＦＰＤカセッテにおける検出素子や、間接型のＦＰＤカセッテにおける光電変換素子を、あわせて放射線検出素子という。
【０００７】
ところで、ＦＰＤカセッテは、上記のように可搬性を有するため、例えば特許文献５に記載されているように、病院等に撮影室が複数存在するような状況では、放射線技師等の撮影者がＦＰＤカセッテを各撮影室に持ち運んで放射線画像撮影に用いることが可能となるといった特徴を有している。
【０００８】
しかし、このような状況では、ＦＰＤカセッテが何れの撮影室で行われた撮影で用いられたかを的確に把握できないと、例えば、当該ＦＰＤカセッテから送信されてきた画像データに対して、画像データのゲイン値を補正するためのゲイン補正データや欠陥を有する放射線検出素子の位置等を特定するための欠陥補正データ等として、誤って他のＦＰＤカセッテ用のデータを適用してしまい、画像データに基づいて生成される放射線画像が異常な画像になってしまう危険性が生じる。
【０００９】
また、当該ＦＰＤカセッテを用いた撮影の撮影条件等を指定し、また、当該撮影で得られた放射線画像等を対応付けて管理するために必要な撮影オーダ情報に対して、別のＦＰＤカセッテで撮影された画像データや、それに基づく放射線画像が誤って対応付けられてしまう等の危険性も生じる。
【００１０】
そこで、特許文献５では、例えば、各ＦＰＤカセッテにＲＦＩＤ（Radio Frequency IDentification）タグを設け、撮影室や前室（操作室等ともいう。）にタグリーダを設けておき、撮影者がＦＰＤカセッテを持ち込んだ場合に、タグリーダでＦＰＤカセッテのＲＦＩＤタグを読み取る。或いは、ＦＰＤカセッテを撮影室に持ち込んだ撮影者がＦＰＤカセッテをクレードルに挿入する。
【００１１】
そして、タグリーダで読み取られたＦＰＤカセッテのカセッテＩＤ等や、クレードルを介して出力されたＦＰＤカセッテのカセッテＩＤ等の情報が、ネットワークを介して各コンソールに通知されることで、各コンソールで、各ＦＰＤカセッテが何れの撮影室にあるかを把握し、例えば、撮影者の要求に応じて各ＦＰＤカセッテの存在場所を表すマップを表示することで、撮影者が、各ＦＰＤカセッテが何れの撮影室にあるかを認識することができる放射線画像撮影システムの発明が開示されている。
【先行技術文献】
【特許文献】
【００１２】
【特許文献１】特許第３６３９７５０号公報
【特許文献２】特開２００６−０５８１２４号公報
【特許文献３】特開平６−３４２０９９号公報
【特許文献４】特開平７−１４０２５５号公報
【特許文献５】国際公開２００８／１１１３５５号パンフレット
【発明の概要】
【発明が解決しようとする課題】
【００１３】
しかしながら、例えばタグリーダでＦＰＤカセッテの撮影室への持ち込みを検出するように構成する場合、撮影室や前室にタグリーダを設けることが必要になるだけでなく、ＦＰＤカセッテにもＲＦＩＤタグ等を設けることが必要になる。また、ＲＦＩＤタグには、タグに給電しなくてもタグリーダからの電波の反射波に情報をのせてタグリーダに情報を伝達できるものも存在するが、通信可能距離が数ｃｍと短く、上記のようなＦＰＤカセッテの撮影室への持ち込み管理に用いるには実用的でない。
【００１４】
また、通信可能距離を延ばすためには、結局、ＲＦＩＤタグに電力を供給して、ＲＦＩＤタグ側からタグリーダに電波を飛ばさざるを得なくなるが、その場合、ＦＰＤカセッテの電源をオンしていないとＲＦＩＤタグから電波を飛ばすことができず、結局、ＦＰＤカセッテをオフした状態で持ち込まれてしまうと、ＦＰＤカセッテの撮影室への持ち込みを検出することができなくなる。また、ＦＰＤカセッテの電源を常時オンしておくように構成すると、ＦＰＤカセッテに内蔵されたバッテリの消耗が激しくなってしまい、現実的ではない。
【００１５】
一方、撮影室等に既設のクレードルは、通常、ＦＰＤカセッテの保管用や充電用に用いられるものであり、上記のように、クレードルを撮影室内に持ち込んだＦＰＤカセッテの登録用として用いるためには、クレードルの改造や買い替えが必要になる。また、クレードルに配線を接続してネットワークに接続する等して、コンソールや管理装置等の外部装置と接続することが必要となる。しかし、クレードルの改造や買い替え、或いは、配線の接続等には費用がかかる。
【００１６】
また、例えば、撮影室が複数設けられているような場合、放射線技師等の撮影者が、一旦、１つの撮影室にＦＰＤカセッテを持ち込んでクレードルに挿入して登録した後、当該ＦＰＤカセッテを当該撮影室から持ち出して別の撮影室に持ち込んだにもかかわらず、クレードルに挿入して登録することを忘れていると、コンソール等では、当該ＦＰＤカセッテが持ち出される前の撮影室に存在すると認識したままになってしまう。
【００１７】
そのため、コンソールが当該撮影室にはもはや存在しないＦＰＤカセッテに対して制御を行ってしまったり、撮影者がＦＰＤカセッテを取り違えて撮影を行ってしまう等の種々の不都合が生じてしまう。そして、最悪の場合、ある患者に関する撮影により得られた画像データに基づいて生成された放射線画像を、別の患者の画像と取り違えてしまい、画像を見た医師が、画像中に本来あるべき病変部を見出せなかったり、本来ないはずの病変部を見出してしまうなど誤診してしまう虞れが生じる。
【００１８】
本発明は、上記の課題を鑑みてなされたものであり、撮影室に登録用のタグリーダやクレードル等を設けなくても、ＦＰＤカセッテが複数の撮影室のうちの何れの撮影室に存在するかを的確に認識して制御することが可能な放射線画像撮影システムを提供することを目的とする。
【課題を解決するための手段】
【００１９】
前記の問題を解決するために、本発明の放射線画像撮影システムは、
ＦＰＤカセッテを装填可能なブッキー装置と、
被写体を介して前記ＦＰＤカセッテに放射線を照射する放射線発生装置の放射線源と、
を備える複数の撮影室と、
前記撮影室内に持ち込み可能で、前記放射線源から被写体を介して照射された放射線に担持されている情報を画像データとして読み出す、通信手段を備えた前記ＦＰＤカセッテと、
前記ＦＰＤカセッテと通信可能であり、かつ、前記ＦＰＤカセッテを制御可能なコンソールと、
を備え、
前記ＦＰＤカセッテは、前記ブッキー装置に装填される際に自己の識別情報を前記コンソールに通知し、または、前記ブッキー装置は、前記ＦＰＤカセッテが装填される際に当該ＦＰＤカセッテの識別情報を読み出して前記コンソールに通知し、
前記コンソールは、前記ブッキー装置に装填された前記ＦＰＤカセッテ、または前記ＦＰＤカセッテが装填された前記ブッキー装置から当該ＦＰＤカセッテの識別情報を取得すると、当該ＦＰＤカセッテが当該ブッキー装置を備える前記撮影室内に存在することを認識して、当該ＦＰＤカセッテを制御対象とすることを特徴とする。
【発明の効果】
【００２０】
本発明のような方式の放射線画像撮影システムによれば、撮影室内に設けられたブッキー装置にＦＰＤカセッテが装填される時点で、ブッキー装置やブッキー装置に装填されるＦＰＤカセッテから、当該ＦＰＤカセッテの識別情報がコンソールに通知される。一方、ＦＰＤカセッテが撮影室に持ち込まれた場合には、立位撮影用や臥位撮影用のブッキー装置に装填されて撮影に用いられることが多い。
【００２１】
そのため、本発明のように、ある撮影室のブッキー装置からＦＰＤカセッテの識別情報が通知されてくることを確認するように構成すれば、ＦＰＤカセッテが当該撮影室内に存在することを的確に把握することができる。そのため、コンソールは、当該ＦＰＤカセッテが、当該ブッキー装置を備える撮影室内に存在することを的確に認識したうえで、当該ＦＰＤカセッテに対して的確に制御を行うことが可能となる。
【００２２】
そのため、当該撮影室である患者に対してＦＰＤカセッテを用いて撮影を行って得られた画像データや放射線画像を他の患者のものと取り違えることを的確に防止することが可能となる。また、撮影室に既設のブッキー装置を用いてＦＰＤカセッテが何れの撮影室内に存在するかを的確に認識することが可能となるため、ＦＰＤカセッテの登録用に、撮影室に新たに登録用のタグリーダを設けたり、クレードルを登録に用いるために改造することが不要になる。
【図面の簡単な説明】
【００２３】
【図１】本実施形態に係る放射線画像撮影システムの全体構成を示す図である。
【図２】ＦＰＤカセッテの外観斜視図である。
【図３】図２のＦＰＤカセッテを反対側から見た外観斜視図である。
【図４】図２におけるＡ−Ａ線に沿う断面図である。
【図５】ＦＰＤカセッテの基板の構成を示す平面図である。
【図６】図５の基板上の小領域に形成された放射線検出素子とＴＦＴ等の構成を示す拡大図である。
【図７】フレキシブル回路基板やＰＣＢ基板等が取り付けられた基板を説明する側面図である。
【図８】ＦＰＤカセッテの等価回路を表すブロック図である。
【図９】各撮影室内の構成を示す図である。
【図１０】ＦＰＤカセッテのコネクタとブッキー装置のコネクタとが接続された状態を表す外観斜視図である。
【図１１】カセッテ保持部の内部にコネクタが設けられたブッキー装置を説明する図である。
【図１２】撮影室内に備えられているブッキー装置およびＦＰＤカセッテ等に対応するアイコンが表示されたコンソールの表示部の画面の例を表す図である。
【図１３】図１２の状態で撮影室内からＦＰＤカセッテが持ち出されて他の撮影室で登録された場合の切り替え後の画面の例を表す図である。
【図１４】図１２の状態でブッキー装置とＦＰＤカセッテのコネクタ同士の接続が解除された場合の切り替え後の画面の例を表す図である。
【図１５】図１４の状態でＦＰＤカセッテを立位撮影用のブッキー装置の装填した場合の切り替え後の画面の例を表す図である。
【図１６】撮影オーダ情報の例を示す図である。
【図１７】撮影オーダ情報を表示する選択画面の例を示す図である。
【図１８】選択された各撮影オーダ情報に対応する各アイコン等が表示された画面の例を示す図である。
【図１９】アイコンの位置にプレビュー画像が表示された状態を示す図である。
【図２０】アイコンの位置に放射線画像が表示された状態を示す図である。
【発明を実施するための形態】
【００２４】
以下、本発明に係る放射線画像撮影システムの実施の形態について、図面を参照して説明する。ただし、本発明は以下の図示例のものに限定されるものではない。
【００２５】
図１は、本実施形態に係る放射線画像撮影システムの全体構成を示す図である。本実施形態では、放射線画像撮影システム５０には、患者の身体の一部である被写体（すなわち患者の撮影部位）に放射線を照射して放射線画像撮影を行う部屋である複数の撮影室Ｒａ（図１では撮影室Ｒａ１〜Ｒａ３）が設けられている。
【００２６】
各撮影室Ｒａには、ＦＰＤカセッテ１を装填可能なブッキー装置５１や、被写体に放射線を照射するための放射線源５２がそれぞれ配置されている。また、各撮影室Ｒａには、ブッキー装置５１やブッキー装置５１に装填されたＦＰＤカセッテ１とコンソール５８との信号等のやり取りを中継する中継器５４がそれぞれ設けられている。
【００２７】
そして、各コンソール５８は、ＬＡＮ（Local Area Network）等のネットワークＮを介して互いに接続されており、また、本実施形態では、ネットワークＮには、管理装置Ｓが接続されている。また、図示を省略するが、ネットワークＮには、さらに、他のコンピュータや、放射線画像をフィルム等の画像記録媒体に記録して出力するイメージャ等の外部機器、ＨＩＳ（Hospital Information System；病院情報システム）、ＲＩＳ（Radiology Information System；放射線科情報システム）等の必要な装置が接続されている。
【００２８】
ここで、撮影室Ｒａや放射線画像撮影システム５０における他の装置等の説明の前に、まず、放射線画像撮影システム５０で放射線画像撮影に用いられるＦＰＤカセッテ１について説明する。
【００２９】
なお、以下では、ＦＰＤカセッテ１として、シンチレータ等を備え、放射された放射線を可視光等の他の波長の電磁波に変換して電気信号を得るいわゆる間接型のＦＰＤカセッテについて説明するが、本発明は、シンチレータ等を介さずに放射線を放射線検出素子で直接検出する、いわゆる直接型のＦＰＤカセッテに対しても適用することができる。
【００３０】
図２は、ＦＰＤカセッテの外観斜視図であり、図３は、ＦＰＤカセッテを反対側から見た外観斜視図である。また、図４は、図２のＡ−Ａ線に沿う断面図である。ＦＰＤカセッテ１は、図２〜図４に示すように、筐体状のハウジング２内にシンチレータ３や基板４等で構成されるセンサパネルＳＰが収納されている。
【００３１】
図２や図３に示すように、ＦＰＤカセッテ１の筐体２のうち、放射線入射面Ｒを有する中空の角筒状のハウジング本体部２Ａは、放射線を透過するカーボン板やプラスチック等の材料で形成されており、ハウジング本体部２Ａの両側の開口部を蓋部材２Ｂ、２Ｃで閉塞することで筐体２が形成されている。
【００３２】
なお、筐体２をこのようないわゆるモノコック型として形成する代わりに、例えば、フレーム板とバック板とで形成された、いわゆる弁当箱型とすることも可能である。
【００３３】
図２に示すように、筐体２の一方側の蓋部材２Ｂには、電源スイッチ３７や選択スイッチ３８、コネクタ３９、バッテリ状態やＦＰＤカセッテ１の稼働状態等を表示するＬＥＤ等で構成されたインジケータ４０等が配置されている。
【００３４】
また、図３に示すように、筐体２の反対側の蓋部材２Ｃには、ＦＰＤカセッテ１の識別情報であるカセッテＩＤを無線で管理装置Ｓに送信したり、画像データＤ等をコンソール５８に無線で転送するためのアンテナ装置４１が埋め込まれている。なお、アンテナ装置４１を設ける場合には、アンテナ装置４１の筐体２上の配置場所や配置する個数は適宜決められる。
【００３５】
また、後述するように、ＦＰＤカセッテ１がブッキー装置５１に装填される場合には、ＦＰＤカセッテ１は、通信手段であるコネクタ３９に接続されたブッキー装置５１側のコネクタ５１ｂ（後述する図１０、図１１参照）やケーブルを介して画像データＤ等をコンソール５８に有線方式で転送するように構成するようになっている。
【００３６】
筐体２の内部には、図４に示すように、センサパネルＳＰの基板４の下方側に図示しない鉛の薄板等を介して基台３１が配置され、基台３１には、電子部品３２等が配設されたＰＣＢ基板３３や緩衝部材３４等が取り付けられている。
【００３７】
なお、基板４やシンチレータ３の放射線入射面Ｒ側には、それらを保護するためのガラス基板３５が配設されている。また、センサパネルＳＰと筐体２の側面との間に、それらがぶつかり合うことを防止するための緩衝材３６が設けられている。
【００３８】
シンチレータ３は、基板４の後述する検出部Ｐに貼り合わされるようになっている。シンチレータ３は、例えば、蛍光体を主成分とし、放射線の入射を受けると３００〜８００ｎｍの波長の電磁波、すなわち可視光を中心とした電磁波に変換して出力するものが用いられる。
【００３９】
基板４は、ガラス基板で構成されており、図５に示すように、基板４のシンチレータ３に対向する側の面４ａ上には、複数の走査線５と複数の信号線６とが互いに交差するように配設されている。基板４の面４ａ上の複数の走査線５と複数の信号線６により区画された各小領域ｒには、放射線検出素子７がそれぞれ設けられている。
【００４０】
このように、走査線５と信号線６で区画された各小領域ｒに二次元状（マトリクス状ともいう。）に配列された複数の放射線検出素子７が設けられた領域ｒ全体、すなわち図５に一点鎖線で示される領域が検出部Ｐとされている。
【００４１】
放射線検出素子７としては、フォトダイオードが用いられているが、この他にも例えばフォトトランジスタ等を用いることも可能である。各放射線検出素子７は、図５の拡大図である図６に示すように、スイッチ手段であるＴＦＴ８のソース電極８ｓに接続されている。また、ＴＦＴ８のドレイン電極８ｄは信号線６に接続されている。
【００４２】
そして、ＴＦＴ８は、後述する走査駆動手段１５から走査線５を介してゲート電極８ｇにオン電圧が印加されるとオン状態となり、ソース電極８ｓやドレイン電極８ｄを介して放射線検出素子７内に蓄積されている電荷を信号線６に放出させるようになっている。また、ＴＦＴ８は、接続された走査線５を介してゲート電極８ｇにオフ電圧が印加されるとオフ状態となり、放射線検出素子７から信号線６への電荷の放出を停止して、放射線検出素子７内に電荷を保持するようになっている。
【００４３】
図６に示すように、列状に配置された複数の放射線検出素子７にそれぞれバイアス線９が接続されており、図５に示すように、各バイアス線９は、基板４の検出部Ｐの外側の位置で１本の結線１０に結束されている。
【００４４】
また、各走査線５や各信号線６、バイアス線９の結線１０は、それぞれ基板４の端縁部付近に設けられた入出力端子（パッドともいう）１１に接続されている。各入出力端子１１には、図７に示すように、ＩＣ１２ａ等のチップがフィルム上に組み込まれたフレキシブル回路基板（Chip On Filmともいう。）１２が異方性導電接着フィルム（Anisotropic Conductive Film）や異方性導電ペースト（Anisotropic Conductive Paste）等の異方性導電性接着材料１３を介して接続されている。
【００４５】
また、フレキシブル回路基板１２は、基板４の裏面４ｂ側に引き回され、裏面４ｂ側で前述したＰＣＢ基板３３に接続されるようになっている。このようにして、ＦＰＤカセッテ１のセンサパネルＳＰの基板４部分が形成されている。なお、図７では、電子部品３２等の図示が省略されている。
【００４６】
ここで、図８を用いてＦＰＤカセッテ１の回路構成について説明する。
【００４７】
各放射線検出素子７の一方の電極にはそれぞれバイアス線９が接続されており、各バイアス線９は結線１０に結束されてバイアス電源１４に接続されている。バイアス電源１４は、結線１０および各バイアス線９を介して各放射線検出素子７の電極にそれぞれバイアス電圧（厳密に言えば逆バイアス電圧）を印加するようになっている。
【００４８】
また、各放射線検出素子７の他方の電極はＴＦＴ８のソース電極８ｓ（図８中ではＳと表記されている。）に接続されており、各ＴＦＴ８のゲート電極８ｇ（図８中ではＧと表記されている。）は、走査駆動手段１５のゲートドライバ１５ｂから延びる走査線５の各ラインＬ１〜Ｌｘにそれぞれ接続されている。また、各ＴＦＴ８のドレイン電極８ｄ（図８中ではＤと表記されている。）は各信号線６にそれぞれ接続されている。
【００４９】
走査駆動手段１５は、ゲートドライバ１５ｂにオン電圧やオフ電圧を供給する電源回路１５ａと、走査線５の各ラインＬ１〜Ｌｘに印加する電圧をオン電圧とオフ電圧の間で切り替えるゲートドライバ１５ｂとを備えている。ゲートドライバ１５ｂは、前述したように、走査線５の各ラインＬ１〜Ｌｘを介してＴＦＴ８のゲート電極８ｇに印加する電圧をオン電圧とオフ電圧との間で切り替えて、各ＴＦＴ８のオン状態とオフ状態とを制御するようになっている。
【００５０】
また、各信号線６は、読み出しＩＣ１６内に形成された各読み出し回路１７にそれぞれ接続されている。読み出し回路１７は、増幅回路１８と、相関二重サンプリング（Correlated Double Sampling）回路１９と、アナログマルチプレクサ２１と、Ａ／Ｄ変換器２０とで構成されている。
【００５１】
例えば、放射線画像撮影の際に、被写体を介してＦＰＤカセッテ１に放射線が照射されると、シンチレータ３で放射線が他の波長の電磁波に変換され、変換された電磁波がその直下の放射線検出素子７に照射される。そして、照射された放射線の線量（すなわち電磁波の光量）に応じて放射線検出素子７内で電荷が発生する。
【００５２】
各放射線検出素子７からの画像データＤの読み出し処理においては、走査駆動手段１５のゲートドライバ１５ｂから走査線５の所定のラインＬｎにオン電圧が印加されると、走査線５の当該ラインＬｎを介してそれに接続されている各ＴＦＴ８のゲート電極８ｇにオン電圧が印加されて各ＴＦＴ８がオン状態となり、オン状態となった各ＴＦＴ８と接続されている放射線検出素子７から各ＴＦＴ８を介して信号線６に電荷が放出される。
【００５３】
そして、放射線検出素子７から放出された電荷量に応じて増幅回路１８から電圧値が出力され、それを相関二重サンプリング回路１９で相関二重サンプリングしてアナログ値の画像データＤがマルチプレクサ２１に出力される。マルチプレクサ２１から順次出力された画像データＤは、Ａ／Ｄ変換器２０で順次デジタル値の画像データＤに変換され、記憶手段２３に出力されて順次保存されるようになっている。
【００５４】
ＦＰＤカセッテ１は、このようにして、後述する放射線発生装置５７の放射線源５２から図示しない被写体を介して照射された放射線に担持されている情報を、画像データＤとして読み出すようになっている。
【００５５】
制御手段２２は、ＣＰＵ（Central Processing Unit）やＲＯＭ（Read Only Memory）、ＲＡＭ（Random Access Memory）、入出力インターフェース等がバスに接続されたコンピュータや、ＦＰＧＡ（Field Programmable Gate Array）等により構成されている。専用の制御回路で構成されていてもよい。
【００５６】
制御手段２２は、ＦＰＤカセッテ１の走査駆動手段１５や読み出し回路１７等の各機能部の動作等を制御するようになっている。制御手段２２には、ＤＲＡＭ（Dynamic ＲＡＭ）等で構成される記憶手段２３や、ＦＰＤカセッテ１の各機能部に電力を供給するバッテリ２４が接続されている。また、制御手段２２には、前述したアンテナ装置４１やコネクタ３９（図８では図示省略）が接続されている。
【００５７】
制御手段２２は、走査駆動手段１５や読み出し回路１７等を制御して、各放射線検出素子７からの画像データＤの読み出し処理や、各放射線検出素子７内に残存する電荷を除去する各放射線検出素子７のリセット処理を行わせたり、バイアス電源１４を制御してバイアス電源１４から各放射線検出素子７に印加するバイアス電圧を設定、可変させる等、ＦＰＤカセッテ１の各機能部に対して種々の制御を行うようになっている。
【００５８】
また、制御手段２２は、各放射線検出素子７からの画像データＤ等の読み出し処理を行うと、上記のようにして、読み出した画像データＤ等を記憶手段２３に記憶させる。そして、制御手段２２は、各放射線検出素子７から読み出した各画像データＤ等の情報をコンソール５８に送信するようになっている。
【００５９】
本実施形態では、ＦＰＤカセッテ１は、後述するように、ＣＲカセッテと互換サイズを有しており、施設に既存の後述するブッキー装置５１に装填して使用することができるようになっている。
【００６０】
また、ＦＰＤカセッテ１は、後述するように、ブッキー装置５１に装填されている場合には、ブッキー装置５１から電力の供給を受けるが、ブッキー装置５１に装填されていない単独の状態では、バッテリ２４（図８参照）から制御手段２２やバイアス電源１４、走査駆動手段１５、読み出し回路１７（読み出しＩＣ１６）等の各機能部に電力を供給するようになっている。
【００６１】
なお、放射線画像撮影や画像データＤの読み出し処理等を行わない場合に、各機能部に電力を供給すると、バッテリ２４が消耗してしまうため、ＦＰＤカセッテ１の制御手段２２は、前述したように、各機能部に電力を供給して放射線画像撮影を行うことができる状態、すなわち撮影可能な状態とする撮影可能モードと、電力消費を抑制するために必要な機能部にのみ電力を供給して少なくとも放射線検出素子には電力の供給を停止して放射線画像撮影ができないスリープモードとの間で、各機能部に対する電力供給モードを切り替えることができるようになっている。
【００６２】
また、制御手段２２は、電力供給モードを切り替える際に、コンソール５８に、撮影可能モードになったことを表す信号、或いはスリープモードになったことを表す信号を、それぞれ自らのカセッテＩＤとともに送信するようになっている。
【００６３】
次に、放射線画像撮影システム５０における撮影室Ｒａや他の各装置等について説明する。
【００６４】
図１や図９に示すように、各撮影室Ｒａには、ＦＰＤカセッテ１を装填可能なカセッテ保持部（カセッテホルダともいう。）５１ａを備えたブッキー装置５１が設けられている。
【００６５】
なお、図９では、撮影室Ｒａに、ブッキー装置５１として立位撮影用のブッキー装置５１Ａと臥位撮影用のブッキー装置５１Ｂが設置されている場合が示されているが、例えば、立位撮影用のブッキー装置５１Ａのみ、或いは臥位撮影用のブッキー装置５１Ｂのみが設けられているような場合にも本発明は適用される。
【００６６】
本実施形態では、ブッキー装置５１は、カセッテ保持部５１ａに従来のＣＲカセッテを装填して用いることもできるように構成されており、撮影室ＲａにＣＲカセッテ用に設置されている既存のブッキー装置が用いられる。
【００６７】
そのため、上記のＦＰＤカセッテ１は、ＣＲカセッテと同様の寸法になるように形成されている。すなわち、ＣＲカセッテは、従来のスクリーンフィルム用のカセッテにおけるＪＩＳ規格サイズ（対応する国際規格はＩＥＣ  ６０４０６）に準拠して、１４インチ×１７インチ（半切サイズ）等の寸法で形成される。また、放射線入射方向の厚さは１５ｍｍ＋１ｍｍ〜１５ｍｍ−２ｍｍの範囲内になるように形成される。
【００６８】
そして、このＪＩＳ規格サイズのＣＲカセッテを装填することができるブッキー装置５１への装填使用を可能とするため、ＦＰＤカセッテ１も、ＣＲカセッテが準拠するスクリーンフィルム用のカセッテにおけるＪＩＳ規格に準拠した寸法で形成されている。
【００６９】
なお、スクリーン／フィルムカセッテやＣＲカセッテ用の既存のブッキー装置を用いない場合には、ＦＰＤカセッテ１を上記の寸法で形成する必要はなく、ＦＰＤカセッテ１を任意の大きさや形状に形成することが可能である。しかし、その際には、ブッキー装置５１として、任意に設定された形状のＦＰＤカセッテ１を装填することができるブッキー装置を新たに撮影室Ｒａ内に設置することが必要となる。
【００７０】
本実施形態では、図１０に示すように、ＦＰＤカセッテ１をブッキー装置５１に装填する前に、ブッキー装置５１から延びるケーブル５１ｃの先端に設けられたコネクタ５１ｂをＦＰＤカセッテ１のコネクタ３９に接続し、その状態でＦＰＤカセッテ１をブッキー装置５１のカセッテ保持部５１ａに装填するようになっている。
【００７１】
なお、例えば図１１に示すように、ブッキー装置５１のカセッテ保持部５１ａの内部に、装填されたＦＰＤカセッテ１のコネクタ３９（図２参照）と自動的に接続されるコネクタ５１ｂを設けるように構成することも可能である。この場合、図１１に示した立位撮影用のブッキー装置５１Ａの場合だけでなく、臥位撮影用のブッキー装置５１Ｂにも同様にコネクタ５１ｂが設けられる。
【００７２】
ブッキー装置５１は、コネクタ５１ｂとＦＰＤカセッテ１のコネクタ３９とが接続されると、ＦＰＤカセッテ１からその識別情報であるカセッテＩＤを読み出し、ＦＰＤカセッテ１のカセッテＩＤと自らの識別情報であるブッキーＩＤとを対応付けて、コンソール５８に通知するようになっている。
【００７３】
なお、本実施形態では、このように、ブッキー装置５１がＦＰＤカセッテ１の識別情報を読み出すように構成されている場合について説明するが、ブッキー装置５１は、例えばＦＰＤカセッテをカセッテ保持部５１ａに装填して単にＦＰＤカセッテ１を保持するだけのものであり、ブッキー装置５１のコネクタ５１ｂに接続された際に、ＦＰＤカセッテ１自体が、自己の識別情報すなわちカセッテＩＤをブッキーＩＤとともにケーブル５１ｃ（図９や図１０参照）を介してコンソール５８に通知するように構成することも可能である。
【００７４】
また、ブッキー装置５１は、ＦＰＤカセッテ１がカセッテ保持部５１ａに装填されて用いられている場合には、ＦＰＤカセッテ１からコネクタ３９を介して出力される画像データＤ等を、後述する中継器５４に有線方式で伝送して、中継器５４を介してコンソール５８に送信するようになっている。
【００７５】
さらに、ブッキー装置５１のコネクタ５１ｂとＦＰＤカセッテ１のコネクタ３９とが接続されることにより、ブッキー装置５１からＦＰＤカセッテ１に電力を供給するようになっている。そのため、ＦＰＤカセッテ１の制御手段２２は、コネクタ３９、５１ｂ同士が接続されると、バッテリ２４（図８参照）からの各機能部への電力の供給を停止し、コネクタ３９を介してブッキー装置５１から供給される電力を各機能部に供給するように切り替えるようになっている。
【００７６】
また、ＦＰＤカセッテ１がブッキー装置５１に装填されて用いられている際に、コンソール５８からＦＰＤカセッテ１の電力供給モードをスリープモードに遷移させる旨の指示を受けた場合に、ＦＰＤカセッテ１で、ブッキー装置５１から供給される電力をバッテリ２４に供給して、バッテリ２４の充電を行うように構成することも可能である。
【００７７】
図１や図９に示すように、撮影室Ｒａには、被写体に放射線を照射する放射線源５２が少なくとも１つ設けられている。
【００７８】
そして、放射線源５２のうち、１つの放射線源５２Ａ（図９参照）は、例えば撮影室Ｒａの天井からつり下げられて配置されるようになっており、撮影時にはコンソール５８からの指示に基づいて起動され、図示しない移動手段により所定の位置にまで移動されるようになっている。そして、図９に示すように、放射線の照射方向を変えることで、立位撮影用のブッキー装置５１Ａや臥位撮影用のブッキー装置５１Ｂに装填されたＦＰＤカセッテ１に対して放射線を照射することができるようになっている。
【００７９】
また、図９に示すように、撮影室Ｒａに、立位撮影用や臥位撮影用のブッキー装置５１Ａ、５１Ｂには対応付けられていないポータブルの放射線源５２Ｂが設けられていてもよい。
【００８０】
ＦＰＤカセッテ１は、単独の状態（すなわちブッキー装置５１に装填しない状態）で被写体である患者の身体の部分にあてがったり、臥位撮影用のブッキー装置５１Ｂのテーブルや図示しないベッドと患者の身体との間に差し込んだりした状態で用いることができ、ＦＰＤカセッテ１をこのようにして用いる場合に、ポータブルの放射線源５２Ｂから適切な距離や方向で放射線を照射することができる。
【００８１】
放射線源５２は、Ｘ線管球を備えており、Ｘ線管球は、後述する放射線発生装置５７から所定の管電圧や管電流が供給されると、指定された照射時間だけ管電圧等に応じた線量の放射線を照射するようになっている。
【００８２】
撮影室Ｒａは放射線が撮影室外に漏洩しないように鉛などでシールドされているため、撮影室Ｒａ内には、撮影室Ｒａ内の各装置と撮影室Ｒａ外の各装置との間の通信を中継する無線アンテナ５３を備えた中継器５４が設けられている。
【００８３】
図９に示すように、中継器５４は、前述したようにブッキー装置５１とケーブル５１ｃ等で接続されており、撮影室Ｒａ外の後述するコンソール５８や、コンソール５８を介して管理装置Ｓ等と接続されている。
【００８４】
また、本実施形態では、撮影室Ｒａ内には、撮影室Ｒａ内に持ち込まれたＦＰＤカセッテ１を保管するためのクレードル５５が設けられており、本実施形態では、クレードル５５は、ＦＰＤカセッテ１が挿入されると、ＦＰＤカセッテ１のバッテリ２４（図８参照）を充電するようになっている。また、クレードル５５は、撮影室Ｒａと前室Ｒｂのいずれに設置されてもよく、撮影室Ｒａに設置される場合には、放射線源５２から照射される放射線が到達しない位置、すなわち、例えば撮影室Ｒａのコーナーの位置等に設置される。
【００８５】
一方、前室Ｒｂには、図９に示すように、放射線源５２に対して放射線の照射開始等を指示するために撮影者が操作する曝射スイッチ５６等を備えた放射線発生装置５７が設けられている。
【００８６】
そして、放射線発生装置５７は、コンソール５８からの指示に基づいて、放射線源５２に所定の管電圧や管電流等を供給したり、放射線源５２を所定の位置に移動させたり、放射線源５２の照射方向を変える等して、放射線源５２を起動させるようになっている。
【００８７】
また、前室Ｒｂには、コンソール５８が設けられている。なお、コンソール５８は、前室Ｒｂ外に設けられていてもよい。また、本実施形態では、図１に示すように、コンソール５８は、各撮影室Ｒａに１つずつ対応するように設けられているが、各撮影室Ｒａにコンソール５８が必ずしも１対１に対応付けられている必要はなく、例えば複数の撮影室Ｒａと単数または複数のコンソール５８とがネットワーク等を介して接続されるように構成されていてもよい。
【００８８】
コンソール５８には、ＣＲＴ（Cathode Ray Tube）やＬＣＤ（Liquid Crystal Display）等からなる表示部５８ａが設けられており、その他、キーボードやマウス等の図示しない入力手段等が接続されている。また、コンソール５８には、ハードディスク等で構成された記憶手段５９が接続されており、記憶手段５９には、ＦＰＤカセッテ１から送信されてきた画像データＤ等が保存されるようになっている。
【００８９】
また、コンソール５８は、ＦＰＤカセッテ１がブッキー装置１に装填されたことを認識して当該ＦＰＤカセッテ１が撮影室Ｒａ内に存在することを認識し、当該ＦＰＤカセッテ１を制御するようになっているが、この点については、後で説明する。
【００９０】
管理装置Ｓ（図１参照）は、各コンソール５８にネットワークＮを介して接続されており、各コンソール５８から、特定のＦＰＤカセッテ１が特定の撮影室Ｒａ内に存在する（或いは特定の撮影室Ｒａの特定のブッキー装置５１に装填されている）という通知を受けると、その情報に基づいて、どのＦＰＤカセッテ１がどの撮影室Ｒａ内に存在するかを認識するようになっている。
【００９１】
なお、この情報を、各コンソール５８間で相互に連絡しあうように構成する場合には、管理装置Ｓを必ずしも設ける必要はない。
【００９２】
次に、コンソール５８における処理について説明するとともに、本実施形態に係る放射線画像撮影システム５０の作用について説明する。
【００９３】
コンソール５８は、前述したように、コネクタ５１ｂと接続されたＦＰＤカセッテ１からカセッテＩＤを読み出した撮影室Ｒａのブッキー装置５１から、或いは、コネクタ５１ｂを介してＦＰＤカセッテ１から、ＦＰＤカセッテ１のカセッテＩＤとブッキーＩＤとが通知されてくると、記憶手段５９に保存されている当該カセッテＩＤに、ブッキーＩＤを対応付けて保存するようになっている。
【００９４】
また、ＦＰＤカセッテ１とブッキー装置５１のコネクタ５１ｂとの接続が解除された場合には、記憶手段５９に保存されている当該ＦＰＤカセッテ１のカセッテＩＤとブッキーＩＤとの対応付けを解除して、カセッテＩＤのみを保存するようになっている。
【００９５】
このようにして、本実施形態では、コンソール５８は、当該ＦＰＤカセッテ１が、当該ブッキー装置５１を備える撮影室Ｒａ内（例えば撮影室Ｒａ１内）に存在することを認識して管理するようになっている。そして、コンソール５８は、当該ＦＰＤカセッテ１を制御対象とするようになっている。
【００９６】
また、本実施形態では、コンソール５８は、このようにして、ＦＰＤカセッテ１のカセッテＩＤを取得して自らの管理下におくと、例えば当該ＦＰＤカセッテ１が以前に他の撮影室Ｒａのブッキー装置５１に装填されていて当該ＦＰＤカセッテ１がすでに他のコンソール５８の管理下にある場合には、当該他のコンソール５８に対して当該ＦＰＤカセッテ１に対する管理を解除するように通知するようになっている。
【００９７】
そして、当該他のコンソール５８（すなわち本実施形態では他の撮影室Ｒａに対応付けられているコンソール５８）は、当該ＦＰＤカセッテ１のカセッテＩＤを記憶手段５９から抹消して、当該ＦＰＤカセッテ１を管理下から除外するようになっている。
【００９８】
なお、前述したように、コンソール５８は、対応する撮影室Ｒａ内にＦＰＤカセッテ１が存在することを認識すると、その情報を管理装置Ｓにも送信するため、例えば、上記の処理を、管理装置Ｓで行うように構成することも可能である。
【００９９】
すなわち、管理装置Ｓは、コンソール５８から上記の情報を受信した時点で、自らそれを管理するとともに、他のコンソール５８における管理状況を参照して、当該ＦＰＤカセッテ１を管理下においている他のコンソール５８があれば、当該他のコンソール５８に対して、当該ＦＰＤカセッテ１に対する管理を解除するように通知するように構成することが可能である。
【０１００】
また、コンソール５８は、前述したように、ＦＰＤカセッテ１から撮影可能モードになったことを表す信号がカセッテＩＤとともに送信されてくると、記憶手段５９に保存されている当該カセッテＩＤに対応付けられて保存されている当該ＦＰＤカセッテ１の電力供給モードを表す情報が、撮影可能モードを表す情報である場合はそのままとし、スリープモードを表す情報である場合は、カセッテＩＤに撮影可能モードを表す情報を新たに対応付けて上書き保存する。
【０１０１】
また、ＦＰＤカセッテ１からスリープモードになったことを表す信号がカセッテＩＤとともに送信されてきた場合には、記憶手段５９に保存されている当該カセッテＩＤに対応付けられて保存されている当該ＦＰＤカセッテ１の電力供給モードモードを表す情報が、スリープモードを表す情報である場合はそのままとし、保存されているモードを表す情報が撮影可能モードを表す情報である場合は、カセッテＩＤにスリープモードを表す情報を新たに対応付けて上書き保存する。
【０１０２】
コンソール５８は、このようにして、ＦＰＤカセッテ１が、現在、撮影可能モードとスリープモードとのいずれの電力供給モードにあるかを認識して管理するようになっている。そして、コンソール５８は、ＦＰＤカセッテ１がブッキー装置５１に装填された時点でその電力供給モードがスリープモードになっている場合には、撮影可能モードに遷移させるように制御する等して、当該ＦＰＤカセッテ１を制御するようになっている。
【０１０３】
一方、放射線技師等の撮影者が、撮影室Ｒａ内のブッキー装置５１（例えば臥位撮影用のブッキー装置５１Ｂ）にＦＰＤカセッテ１を装填したということは、撮影者が、今から当該ブッキー装置５１に装填された当該ＦＰＤカセッテ１を用いて撮影を行おうとしていると考えられる。
【０１０４】
そこで、本実施形態では、コンソール５８は、上記のように、撮影室Ｒａのブッキー装置５１やブッキー装置５１に装填されたＦＰＤカセッテ１から、ケーブル５１ｃや中継器（図９参照）を介してＦＰＤカセッテ１のカセッテＩＤとブッキーＩＤとが通知されてきた時点で、放射線発生装置５７に対して、当該ブッキー装置５１（例えば臥位撮影用のブッキー装置５１Ｂ）に装填されたＦＰＤカセッテ１に対して放射線を照射できるように放射線源５２を起動させるように指示するようになっている。
【０１０５】
放射線発生装置５７は、コンソール５８からの指示を受信すると、放射線源５２に所定の管電圧や管電流等を供給したり、例えば臥位撮影用のブッキー装置５１Ｂに放射線を照射するように、放射線源５２を所定の位置に移動させたり、放射線源５２の照射方向を変える等して、放射線源５２を起動させるようになっている。
【０１０６】
このように構成することで、撮影者の指示を待たずに、速やかに放射線源５２を起動させることが可能となるとともに、撮影者は、放射線源５２の位置や照射方向等を微調整するだけで放射線を照射させることが可能となるため、放射線画像撮影システム５０が撮影者にとって使い勝手がよいものとなる。
【０１０７】
一方、コンソール５８は、上記のように、撮影室Ｒａのブッキー装置５１やブッキー装置５１に装填されたＦＰＤカセッテ１からカセッテＩＤとブッキーＩＤとが通知されてくると、表示部５８ａ上に、例えば図１２に示すような画面Ｈ１を表示するようになっている。
【０１０８】
図１２に示すように、画面Ｈ１には、撮影室Ｒａ内に備えられているブッキー装置５１、すなわち例えば立位撮影用のブッキー装置５１Ａと臥位撮影用のブッキー装置５１Ｂに対応するアイコンＩ(51A)、Ｉ(51B)が表示されるようになっている。また、画面Ｈ１には、さらに、以前の撮影で撮影室Ｒａのブッキー装置５１に装填されて撮影室Ｒａ内に存在することが認識されたＦＰＤカセッテ１であって、すでにブッキー装置５１から抜き出されたＦＰＤカセッテ１に対応するアイコンＩ(1)も表示されている。
【０１０９】
そして、放射線技師等の撮影者がＦＰＤカセッテ１を撮影室Ｒａ内に持ち込んで、例えば臥位撮影用のブッキー装置５１Ｂに装填した場合、図１２に示すように、臥位撮影用のブッキー装置５１Ｂに対応するアイコンＩ(51B)を、例えば実線表示し、さらに青や赤等の特定の色で色付けして表示する等して、画面Ｈ１を見た撮影者が、当該ＦＰＤカセッテ１が臥位撮影用のブッキー装置５１Ｂに装填されていることを確認できるようになっている。
【０１１０】
なお、本実施形態では、ＦＰＤカセッテ１が装填された例えば臥位撮影用のブッキー装置５１Ｂに対応するアイコンＩ(51B)の近傍には、装填されたＦＰＤカセッテ１のカセッテＩＤ（すなわち「ＦＰＤ−００３」）や解像度等の情報が表示されるようになっている。
【０１１１】
また、図１２に示した状態で、例えば、他の撮影者が撮影室Ｒａ（例えば撮影室Ｒａ１）からカセッテＩＤ「ＦＰＤ−００１」のＦＰＤカセッテ１を持ち出して、例えば撮影室Ｒａ２に持ち込んで、当該ＦＰＤカセッテ１を撮影室Ｒａ２のブッキー装置５１のコネクタ５１ｂに接続すると、上記のように、撮影室Ｒａ２に対応付けられたコンソール５８から、撮影室Ｒａ１に対応付けられたコンソール５８に対して、当該ＦＰＤカセッテ１に対する管理を解除することを要求する通知が送信されてくる。
【０１１２】
そのため、撮影室Ｒａ１に対応付けられたコンソール５８は、カセッテＩＤ「ＦＰＤ−００１」を記憶手段５９から抹消して当該ＦＰＤカセッテ１に対する管理を解除する。そのため、撮影室Ｒａ１に対応付けられたコンソール５８の表示部５８ａの画面Ｈ１では、図１２に示した状態から、図１３に示すように、カセッテＩＤ「ＦＰＤ−００１」のＦＰＤカセッテ１に対応するアイコンＩ(1)が表示されなくなる状態に切り替わる。
【０１１３】
一方、図１２に示した状態で、臥位撮影用のブッキー装置５１ＢからカセッテＩＤ「ＦＰＤ−００３」のＦＰＤカセッテ１が抜き出されて、ブッキー装置５１Ｂのコネクタ５１ｂとの接続が解除されると、ブッキー装置５１やＦＰＤカセッテ１から、ＦＰＤカセッテ１とブッキー装置５１のコネクタ５１ｂとの接続が解除された旨の信号が送信されてくるため、コンソール５８は、前述したように、記憶手段５９に保存されている当該ＦＰＤカセッテ１のカセッテＩＤとブッキーＩＤとの対応付けを解除して、カセッテＩＤのみを保存する。
【０１１４】
そして、表示部５８ａの画面Ｈ１での表示は、図１４に示すような状態に切り替わり、ＦＰＤカセッテ１が抜き出されてＦＰＤカセッテ１が装填されていない臥位撮影用のブッキー装置５１Ｂに対応するアイコンＩ(51B)の表示が、同様にＦＰＤカセッテ１が装填されていない立位撮影用のブッキー装置５１Ａに対応するアイコンＩ(51A)の表示と同じように、本実施形態では、破線の枠線のみが表示される表示に切り替えるようになっている。
【０１１５】
そして、コンソール５８は、それとともに、抜き出されたＦＰＤカセッテ１に対応するアイコンＩ(1)を新たに表示するようになっている。これは、撮影室Ｒａ内に持ち込まれたＦＰＤカセッテ１は、通常、不使用時にわざわざ撮影室Ｒａ１から持ち出されずに、例えばクレードル５５（図９参照）に挿入される等して、撮影室Ｒａ１内で保管されるためである。
【０１１６】
また、前述したように、ＦＰＤカセッテ１は、ブッキー装置５１に装填されない単独の状態で被写体である患者の身体の部分にあてがったり、臥位撮影用のブッキー装置５１Ｂのテーブルや図示しないベッドと患者の身体との間に差し込んだりした状態とし、例えばポータブルの放射線源５２Ｂ（図９参照）から放射線を照射する等して撮影に用いることができる。
【０１１７】
そして、その場合は、単独の状態で撮影が行われたＦＰＤカセッテ１から、アンテナ装置４１を介し、画像データＤ等が中継器５４の無線アンテナ５３を介して、コンソール５８に送信される。このようにして、ＦＰＤカセッテ１は、撮影室Ｒａ内で単独の状態で用いることが可能である。
【０１１８】
そして、上記のように、ＦＰＤカセッテ１を、一旦、ブッキー装置５１に装填して、コンソール５８に当該ＦＰＤカセッテ１が撮影室Ｒａ内に存在することを認識させておけば、その後、ＦＰＤカセッテ１をブッキー装置５１から抜き出して単独の状態で用いる場合も、コンソール５８は、当該ＦＰＤカセッテ１が当該撮影室Ｒａ内に存在することを認識した状態を維持する。
【０１１９】
そのため、例えば、放射線技師等の撮影者が、一人の患者に対して、ブッキー装置５１を使用した撮影と、ＦＰＤカセッテ１を単独の状態で用いる撮影の両方を予定しているような場合には、撮影室Ｒａのブッキー装置５１を使用した撮影から開始して、コンソール５８に、当該ＦＰＤカセッテ１が当該撮影室Ｒａ内に存在することを一旦認識させてしまえば、当該ＦＰＤカセッテ１が他の撮影室Ｒａに搬送されない限り、その後、改めて当該ＦＰＤカセッテ１をブッキー装置５１に装填しなくても、コンソール５８は、当該ＦＰＤカセッテ１が当該撮影室Ｒａ内に存在することを認識した状態を維持する。
【０１２０】
そのため、撮影室Ｒａ内に存在することを認識した当該ＦＰＤカセッテ１が、その後、ブッキー装置５１から抜き出されて単独の状態で撮影に用いられても、コンソール５８は、当該ＦＰＤカセッテ１が撮影室Ｒａに存在することを的確に認識した状態で、当該ＦＰＤカセッテ１に対して的確に制御を行って、確実に撮影を行うことが可能となる。
【０１２１】
一方、例えば、図１４に示した状態で、放射線技師等の撮影者が、今度は、例えばカセッテＩＤ「ＦＰＤ−００２」のＦＰＤカセッテ１を立位撮影用のブッキー装置５１Ａに装填するために、ブッキー装置５１Ａのコネクタ５１ｂと当該ＦＰＤカセッテ１のコネクタ３９とを接続すると（図１０や図１１参照）、ブッキー装置５１ＡやＦＰＤカセッテ１からカセッテＩＤとブッキーＩＤとがコンソール５８に通知されてくる。
【０１２２】
そのため、コンソール５８は、カセッテＩＤ「ＦＰＤ−００２」のＦＰＤカセッテ１が撮影室Ｒａの立位撮影用のブッキー装置５１Ａに装填されたことを認識して、カセッテＩＤを記憶手段５９に保存するとともに、管理装置Ｓに対して撮影室Ｒａ内に当該ＦＰＤカセッテ１が存在することを通知する。
【０１２３】
そして、例えば当該ＦＰＤカセッテ１の電力供給モードがスリープモードであれば、撮影可能モードに遷移させるとともに、放射線発生装置５７に対して、放射線源５２から立位撮影用のブッキー装置５１Ａに対して放射線を照射するように起動させる。
【０１２４】
また、コンソール５８は、図１５に示すように、表示部５８ａの画面Ｈ１上に表示していたカセッテＩＤ「ＦＰＤ−００２」のＦＰＤカセッテ１に対応するアイコンＩを表示しないように切り替える。そして、さらに、立位撮影用のブッキー装置５１Ａに対応するアイコンＩ(51A)を、実線表示し、青や赤等の特定の色で色付けして表示するとともに、当該アイコンＩ(51A)の近傍に、装填されたＦＰＤカセッテ１のカセッテＩＤ（すなわち「ＦＰＤ−００２」）や解像度等の情報を表示するようになっている。
【０１２５】
なお、以下、コンソール５８における画像データＤに基づく放射線画像ｐの生成処理等の他の処理について説明する。
【０１２６】
コンソール５８は、放射線技師等の撮影者の操作により、ネットワークＮに接続された図示しないＨＩＳやＲＩＳから、撮影オーダ情報等の必要な情報を入手する。
【０１２７】
撮影オーダ情報は、少なくとも撮影部位と撮影条件を指定して設定されるようになっている。具体的には、撮影オーダ情報は、図１６に例示するように、患者情報としての「患者ＩＤ」Ｐ２、「患者氏名」Ｐ３、「性別」Ｐ４、「年齢」Ｐ５、「診療科」Ｐ６、および「撮影部位」Ｐ７、および撮影条件としての「撮影方向」Ｐ８や使用するブッキー装置５１を表す「ブッキーＩＤ」Ｐ９や使用するカセッテの「カセッテＩＤ」Ｐ１０等で構成されるようになっている。そして、撮影オーダが登録された順に、各撮影オーダ情報に対して「撮影オーダＩＤ」Ｐ１が自動的に割り当てられるようになっている。
【０１２８】
コンソール５８は、撮影オーダ情報を入手すると、図１７に示すように、表示部上に各撮影オーダ情報の一覧を選択画面Ｈ２として表示する。本実施形態では、選択画面Ｈ２には、撮影オーダ情報表示欄ｈ１１や選択ボタンｈ１２、決定ボタンｈ１３、戻るボタンｈ１４が表示される。
【０１２９】
そして、例えば、撮影者が選択ボタンｈ１２をクリックして、各撮影オーダ情報を選択して、決定ボタンｈ１３をクリックすると、コンソール５８は、表示部上に図１８に示すような画面Ｈ３を表示する。
【０１３０】
画面Ｈ３には、図１８に示すように、各撮影オーダ情報に対応する各アイコンＩが表示され、各アイコンＩの下部には、後述するように、アイコンＩの位置に表示されるプレビュー画像ｐ_preを撮影者が見て再撮影が不要と判断したり、アイコンＩの位置に表示される放射線画像ｐが正常であると判断して放射線画像ｐを確定させる際にクリックする「ＯＫ」ボタンと、再撮影が必要であったり、放射線画像ｐに対する画像処理等をやり直す際にクリックする「ＮＧ」ボタンがそれぞれ表示される。
【０１３１】
また、画面Ｈ３の右側に表示されている照射条件の設定用の表示Ｉａ上の各項目の「＋」ボタンや「−」ボタンをクリックすることで、放射線発生装置５７の放射線源５２の管電圧や管電流、照射時間等の照射条件を変更して設定することができるようになっている。
【０１３２】
本実施形態では、各アイコンＩ１〜Ｉ４は、何れか１つのアイコンＩ（図１８の場合はアイコンＩ２）が目立つようにフォーカスされて表示されるようになっており、フォーカスされているアイコンＩに対応する撮影オーダ情報に基づく撮影が行われる。なお、撮影者が、別の撮影オーダ情報に基づく撮影を行いたい場合には、その撮影オーダ情報に対応する他のアイコンＩをクリックする等して操作することにより、フォーカスを遷移させることができる。
【０１３３】
なお、画面Ｈ３の左側には、フォーカスして表示されているアイコンＩに対応する撮影オーダ情報で指定された撮影部位が、撮影者が一目で分かるように表した人体モデルＩｂ上に表示される。
【０１３４】
一方、フォーカスして表示されたアイコンＩに対応する撮影オーダ情報に基づく放射線画像撮影が行われると、ＦＰＤカセッテ１から、各放射線検出素子７の画像データＤから作成された間引きデータＤｔが送信されてくるため、コンソール５８は、図１９に示すように、送信されてきた間引きデータＤｔに基づくプレビュー画像を、フォーカスされていた元のアイコンＩ２の位置に表示する。
【０１３５】
なお、撮影者がプレビュー画像ｐ_preを見易いように、プレビュー画像ｐ_preを画面Ｈ３上に拡大して表示するように構成することも可能である。また、その後、当該ＦＰＤカセッテ１から画像データＤが送信されてくると、コンソール５８は、画像データＤを、当該アイコンＩに対応する撮影オーダ情報に対応付ける。
【０１３６】
そして、コンソール５８は、プレビュー画像ｐ_preを所定時間表示する間に、プレビュー画像ｐ_preを見た撮影者が「ＮＧ」ボタンをクリックしなければ、図２０に示すように、フォーカスして表示するアイコンＩを例えばアイコンＩ３に遷移させるとともに、元のアイコンＩ２に対応する撮影でＦＰＤカセッテ１から送信されてきた画像データＤ等に基づく放射線画像ｐの生成処理を開始する。
【０１３７】
なお、プレビュー画像ｐ_preを見た撮影者が上記の所定時間の間に「ＮＧ」ボタンをクリックした場合には、撮影オーダ情報に対する画像データＤや撮影実施結果の対応付けを解除するとともに、間引きデータＤｔや画像データＤを抹消する。また、画像データＤ等に基づく放射線画像ｐの生成処理も行わない。
【０１３８】
コンソール５８は、画像データＤに対してオフセット補正やゲイン補正、欠陥画素補正、撮影部位に応じた諧調処理等の処理を行う。また、撮影の際に、ＦＰＤカセッテ１にグリッドを取り付けて撮影が行われている場合があるため、グリッドによるモアレ除去のためのフィルタリング処理をさらに行う。
【０１３９】
グリッドを用いた撮影を行う場合、グリッドピッチとＦＰＤカセッテ１の画素サイズとの関係で、画像データＤにモアレを生じる場合がある。このモアレ対策として、例えば特開２０００−３１６１２６号公報に記載されているように、使用するグリッドを適正に選択すれば、モアレ発生を避けることができる。また、特開平８−８８７６５号公報に記載されているように、一旦、身近のグリッドを使用して撮影を行い、画像データＤ中に含まれるモアレ成分を、次工程でフィルタリング処理して除去することも知られている。
【０１４０】
ＦＰＤカセッテ１の場合、本実施形態で説明するように複数の撮影室Ｒで使用されたり、後述する実施形態で説明するように回診先で使用されるので、使用するグリッド種を制限することは得策ではない。すなわち、ＣＲカセッテを用いて撮影を行っていた際に使用されていたグリッドをそのまま使用することが好ましい。また、撮影の都度、各撮影に使用したグリッドピッチ情報を読取り画像に対応付けて保存とすることも可能であるが、
専用機型の放射線画像撮影装置の場合とは異なり、ＦＰＤカセッテ１の場合、グリッドピッチ情報を対応付けるには、大がかりな既存の撮影設備改造が必要になり、しかも、各撮影における放射線技師等の撮影者の操作も増えるため、現実的ではない。
【０１４１】
従って、使用するグリッドを限定せず、使用可能性のあるグリッドピッチに対応したモアレ除去フィルタを予め数種準備しておき、画像データＤに対して、予め準備しておいた全てのフィルタを順次適用することで、モアレのない放射線画像ｐを得る方法が、ＦＰＤカセッテ１にとっては好ましい。
【０１４２】
コンソール５８は、放射線画像ｐを生成すると、図１９に示したように、元のアイコンＩ２の位置に表示する。そして、放射線画像ｐを見た撮影者が、生成された放射線画像ｐが正常であると判断して「ＯＫ」ボタンをクリックすると、放射線画像ｐを確定させて、放射線画像ｐを撮影オーダ情報に対応付ける。
【０１４３】
以上のようにして、コンソール５８では、画像データＤに基づく放射線画像ｐの生成処理等の他の処理が行われる。
【０１４４】
以上のように、本実施形態に係る放射線画像撮影システム５０によれば、撮影室Ｒａ内に設けられたブッキー装置５１にＦＰＤカセッテ１が装填される時点で、ブッキー装置５１やブッキー装置５１に装填されるＦＰＤカセッテ１から、当該ＦＰＤカセッテ１の識別情報がコンソール５８に通知されるように構成した。
【０１４５】
そのため、コンソール５８は、撮影室Ｒａ内に設けられたブッキー装置５１からＦＰＤカセッテ１の識別情報を取得することで、当該ＦＰＤカセッテ１が、当該ブッキー装置５１を備える撮影室Ｒａ内に存在することを的確に認識することが可能となり、撮影室Ｒａ内に存在する当該ＦＰＤカセッテ１に対して的確に制御を行うことが可能となる。
【０１４６】
また、ＦＰＤカセッテ１が撮影室Ｒａに持ち込まれた場合には、立位撮影用のブッキー装置５１Ａや臥位撮影用のブッキー装置５１Ｂに装填されて撮影に用いられることが多い。そのため、本発明のように、ある撮影室Ｒａのブッキー装置５１からＦＰＤカセッテ１の識別情報が通知されてくることを確認するように構成すれば、ＦＰＤカセッテ１が当該撮影室Ｒａ内に存在することを的確に把握することができる。
【０１４７】
そのため、当該撮影室Ｒａ内に存在するＦＰＤカセッテ１を用いて撮影を行って得られた画像データＤや放射線画像ｐを、当該撮影室Ｒａに対応付けられたコンソール５８上で的確に撮影オーダ情報に対応付けることが可能となり、ある患者に関する画像データＤや放射線画像ｐを他の患者のものと取り違えることを的確に防止することが可能となる。
【０１４８】
また、撮影室Ｒａに既設のブッキー装置５１を用いてＦＰＤカセッテ１が何れの撮影室Ｒａ内に存在するかを的確に認識することが可能となるため、ＦＰＤカセッテ１の登録用に、新たに撮影室Ｒａに登録用のタグリーダを設けたり、クレードル５５を登録に用いるために改造することが不要になる。
【０１４９】
なお、本発明が上記の実施形態に限定されず、適宜変更可能であることはいうまでもない。
【符号の説明】
【０１５０】
１  ＦＰＤカセッテ
３９  コネクタ（通信手段）
５０  放射線画像撮影システム
５１、５１Ａ、５１Ｂ  ブッキー装置
５１ｂ  コネクタ
５１ｃ  ケーブル
５２  放射線源
５７  放射線発生装置
５８  コンソール
Ｄ  画像データ
Ｒａ、Ｒａ１〜Ｒａ３  撮影室
【図１】
2012105895.tif 000003
【図２】
2012105895.tif 000004
【図３】
2012105895.tif 000005
【図４】
2012105895.tif 000006
【図５】
2012105895.tif 000007
【図６】
2012105895.tif 000008
【図７】
2012105895.tif 000009
【図８】
2012105895.tif 000010
【図９】
2012105895.tif 000011
【図１０】
2012105895.tif 000012
【図１１】
2012105895.tif 000013
【図１２】
2012105895.tif 000014
【図１３】
2012105895.tif 000015
【図１４】
2012105895.tif 000016
【図１５】
2012105895.tif 000017
【図１６】
2012105895.tif 000018
【図１７】
2012105895.tif 000019
【図１８】
2012105895.tif 000020
【図１９】
2012105895.tif 000021
【図２０】
2012105895.tif 000022